(57)【要約】【課題】少ない消費電力によって照射領域の拡大を図れるようにする独立電源型照明柱を提供すること。【解決手段】地上に立設される中空状支柱１０と、中空状支柱１０に装着されるソーラーパネル２０と、中空状支柱１０の中空部１０ａ内に収容される蓄電池３０と、蓄電池３０に蓄電された電力により発光する光源４０（直線状に配列される複数の発光ダイオード４１）とを具備する。発光ダイオード４１を、中空状支柱１０の長手方向に沿設され、かつ、外方に開口する１又は複数の凹溝１１内に配設する。これにより、支柱１０の側面から側方に光を照射させることができ、少ない消費電力によって照射領域の拡大を図ることができる。【選択図】  図１
2004207109.tif 000002
【特許請求の範囲】
【請求項１】
地上に立設される中空状支柱と、
上記中空状支柱に装着されるソーラーパネルと、
上記中空状支柱の中空部内に収容される蓄電池と、
上記蓄電池に蓄電された電力により発光する光源とを具備し、
上記光源を、上記中空状支柱の長手方向に沿設され、かつ、外方に開口する１又は複数の凹溝内に配設してなる、ことを特徴とする独立電源型照明柱。
【請求項２】
請求項１記載の独立電源型照明柱において、
上記光源は、中空状支柱の凹溝内に直線状に配列される複数の発光体である、ことを特徴とする独立電源型照明柱。
【請求項３】
請求項１又は２記載の独立電源型照明柱において、
上記中空状支柱の凹溝内に挿入され固定される照射案内カバーに、光源を配設すると共に、光源から照射される光を外方に案内する透光板を設けてなる、ことを特徴とする独立電源型照明柱。
【請求項４】
請求項１又は２記載の独立電源型照明柱において、
上記中空状支柱の凹溝内に挿入され固定される反射案内カバーに、光源を配設すると共に、光源から照射される光を反射させて外方に拡散させる反射部を設けてなる、ことを特徴とする独立電源型照明柱。
【請求項５】
請求項４記載の独立電源型照明柱において、
上記反射案内カバーに、光源及び反射部から照射される光を外方に案内する透光板を設けてなる、ことを特徴とする独立電源型照明柱。
【請求項６】
請求項３又は５記載の独立電源型照明柱において、
上記透光板に光拡散用凹凸表面を形成してなる、ことを特徴とする独立電源型照明柱。
【請求項７】
地上に立設される中空状支柱と、
上記中空状支柱に装着されるソーラーパネルと、
上記中空状支柱の中空部内に収容される蓄電池と、
上記蓄電池に蓄電された電力により発光する光源とを具備し、
上記光源を、上記中空状支柱の中間部に設けた下向き傾斜面と上向き傾斜面を有する拡開空間部における両傾斜面に配設してなる、ことを特徴とする独立電源型照明柱。
【請求項８】
地上に立設される中空状支柱と、
上記中空状支柱に装着されるソーラーパネルと、
上記中空状支柱の中空部内に収容される蓄電池と、
上記蓄電池に蓄電された電力により発光する光源とを具備し、
上記光源を、上記中空状支柱の中間部に設けた下向き傾斜面と上向き傾斜面を有する拡開空間部における一方の傾斜面に配設し、他方の傾斜面に上記光源からの光を反射する反射板を配設してなる、ことを特徴とする独立電源型照明柱。
【請求項９】
請求項７又は８記載の独立電源型照明柱において、
上記光源は、散点状に配列される複数の発光体である、ことを特徴とする独立電源型照明柱。
【請求項１０】
請求項１ないし９のいずれかに記載の独立電源型照明柱において、
上記中空状支柱は、長手方向に沿設される狭隘開口状の凹溝を有する複数の支柱体を具備し、
隣接する上記支柱体の上記凹溝内に連結部材を摺動可能に挿入すると共に、連結部材に設けられたねじ孔に螺合する止めねじを凹溝の底面に押し付け、かつ、連結部材を凹溝の狭隘開口部に圧接して、支柱体同士を連結・固定してなる、ことを特徴とする独立電源型照明柱。
【発明の詳細な説明】
【０００１】
【発明の属する技術分野】
この発明は、独立電源型照明柱に関するもので、更に詳細には、ソーラーパネルと蓄電池を備えた支柱の側面から側方に光を照射する独立電源型照明柱に関するものである。
【０００２】
【従来の技術】
従来、地上に立設される支柱に、ソーラーパネルと、ソーラーパネルによって得られた自然エネルギーを蓄電する蓄電池と、蓄電池に蓄電された電気によって発光する照明灯を備えた独立電源型照明柱が知られている（例えば、特許文献１参照）。
【０００３】
【特許文献１】
特開平１０−３３９０５６号公報（特許請求の範囲、段落番号００２２，００２５，００２９，００３２、図１，図２）
【０００４】
【発明が解決しようとする課題】
しかしながら、上記従来の独立電源型照明柱においては、照明灯は、支柱の上部外周面に設けられた凹部の一部、例えば凹部の上部側の下向き傾斜面に配置されているため、照明灯からの光は、頭上から地面にスポット状になってしまい、照射領域が小さく、照明効果が低いものとなっていた。したがって、夜間の暗闇における照明灯としては十分な機能を発揮することができないという問題があった。
【０００５】
この問題を解決する手段として、照明灯の数を増やすことが考えられるが、支柱の径寸法等によって照明灯の数に限度があり、スポット状の照射領域の数が増えるだけで、照明効果の向上に期待はできない。また、照明灯の数を増やすと、消費電力が嵩むため、ソーラーパネルや蓄電池の容量を大きくしなければならないという問題がある。
【０００６】
この発明は、上記事情に鑑みてなされたもので、少ない消費電力によって照射領域の拡大を図れるようにする独立電源型照明柱を提供することを目的とするものである。
【０００７】
【課題を解決するための手段】
上記課題を解決するために、この発明の第１の独立電源型照明柱は、地上に立設される中空状支柱と、上記中空状支柱に装着されるソーラーパネルと、上記中空状支柱の中空部内に収容される蓄電池と、上記蓄電池に蓄電された電力により発光する光源とを具備し、上記光源を、上記中空状支柱の長手方向に沿設され、かつ、外方に開口する１又は複数の凹溝内に配設してなる、ことを特徴とする（請求項１）。
【０００８】
請求項１記載の独立電源型照明柱において、上記光源は、中空状支柱の凹溝内に直線状に配列される複数の発光体である方が好ましい（請求項２）。この場合、上記中空状支柱の凹溝内に挿入され固定される照射案内カバーに、光源を配設すると共に、光源から照射される光を外方に案内する透光板を設けるか（請求項３）、あるいは、上記中空状支柱の凹溝内に挿入され固定される反射案内カバーに、光源を配設すると共に、光源から照射される光を反射させて外方に拡散させる反射部を設ける（請求項４）方が好ましい。この場合、上記反射案内カバーに、光源及び反射部から照射される光を外方に案内する透光板を設けてもよい（請求項５）。また、上記透光板に光拡散用凹凸表面を形成してもよい（請求項６）。
【０００９】
また、この発明の第２の独立電源型照明柱は、地上に立設される中空状支柱と、上記中空状支柱に装着されるソーラーパネルと、上記中空状支柱の中空部内に収容される蓄電池と、上記蓄電池に蓄電された電力により発光する光源とを具備し、上記光源を、上記中空状支柱の中間部に設けた下向き傾斜面と上向き傾斜面を有する拡開空間部における両傾斜面に配設してなる、ことを特徴とする（請求項７）。
【００１０】
また、この発明の第３の独立電源型照明柱は、地上に立設される中空状支柱と、上記中空状支柱に装着されるソーラーパネルと、上記中空状支柱の中空部内に収容される蓄電池と、上記蓄電池に蓄電された電力により発光する光源とを具備し、上記光源を、上記中空状支柱の中間部に設けた下向き傾斜面と上向き傾斜面を有する拡開空間部における一方の傾斜面に配設し、他方の傾斜面に上記光源からの光を反射する反射板を配設してなる、ことを特徴とする（請求項８）。
【００１１】
請求項７又は８記載の独立電源型照明柱において、上記光源は１つであっても差し支えないが、好ましくは、上記光源は、散点状に配列される複数の発光体である方がよい（請求項９）。
【００１２】
また、この発明の独立電源型照明柱において、上記中空状支柱を、長手方向に沿設される狭隘開口状の凹溝を有する複数の支柱体にて構成し、隣接する上記支柱体の上記凹溝内に連結部材を摺動可能に挿入すると共に、連結部材に設けられたねじ孔に螺合する止めねじを凹溝の底面に押し付け、かつ、連結部材を凹溝の狭隘開口部に圧接して、支柱体同士を連結・固定するようにしてもよい（請求項１０）。
【００１３】
請求項１記載の発明によれば、光源を、中空状支柱の長手方向に沿設され、かつ、外方に開口する１又は複数の凹溝内に配設することにより、光源からの光を支柱の側面全から側方に照射することができる。したがって、人の目線に合わせた照明領域を得ることができると共に、照明領域の拡大を図ることができる。
【００１４】
請求項２記載の発明によれば、光源を、中空状支柱の凹溝内に直線状に配列される複数の発光体にて形成することにより、支柱の側面の上下端間の全域から側方に照射することができ、更に照明領域の向上を図ることができる。
【００１５】
請求項３記載の発明によれば、中空状支柱の凹溝内に挿入され固定される照射案内カバーに、光源を配設すると共に、光源から照射される光を外方に案内する透光板を設けることにより、光源からの光が透光板によって屈折され、拡散されて外方に照射されるので、照度（輝度）を高めることができる。この場合、透光板に光拡散用凹凸表面を形成することにより、更に光を拡散させて照射することができる（請求項６）。
【００１６】
請求項４記載の発明によれば、中空状支柱の凹溝内に挿入され固定される反射案内カバーに、光源を配設すると共に、光源から照射される光を反射させて外方に拡散させる反射部を設けることにより、光源からの直射光と、反射板による反射光の双方を、外方に照射することができるので、更に照射領域の向上が図れる。この場合、反射案内カバーに、光源及び反射部から照射される光を外方に案内する透光板を設けることにより、光源から照射される直射光と反射部から照射される反射光の双方を、透光板によって屈折させて拡散させることができるので、更に照度（輝度）を高めることができる（請求項５）。また、透光板に光拡散用凹凸表面を形成することにより、更に光を拡散させて照射することができる（請求項６）。
【００１７】
請求項７記載の発明によれば、光源を、中空状支柱の中間部に設けた下向き傾斜面と上向き傾斜面を有する拡開空間部における両傾斜面に配設することにより、両傾斜面に配設された光源からの光を支柱の側方に照射することができる。
【００１８】
請求項８記載の発明によれば、光源を、中空状支柱の中間部に設けた下向き傾斜面と上向き傾斜面を有する拡開空間部における一方の傾斜面に配設し、他方の傾斜面に光源からの光を反射する反射板を配設することにより、一方の傾斜面に配設された光源からの直射光と、他方の傾斜面に配設された反射板が反射する反射光を、支柱の側面から側方に照射することができる。
【００１９】
この場合、光源を、散点状に配列される複数の発光体にて形成することにより、光量の増大が図れると共に、照射領域の拡大が図れる（請求項９）。
【００２０】
請求項１０記載の発明によれば、中空状支柱を、長手方向に沿設される狭隘開口状の凹溝を有する複数の支柱体にて構成し、隣接する支柱体の凹溝内に連結部材を摺動可能に挿入すると共に、連結部材に設けられたねじ孔に螺合する止めねじを凹溝の底面に押し付け、かつ、連結部材を凹溝の狭隘開口部に圧接して、支柱体同士を連結・固定することにより、中空状支柱が分割でき、コンパクトにすることができるので、梱包を容易にすることができると共に、運搬を容易にすることができる。また、現場において、連結部材によって中空状支柱の組立を容易にすることができる。
【００２１】
【発明の実施の形態】
以下に、この発明の独立電源型照明柱の実施形態を添付図面に基づいて詳細に説明する。
【００２２】
◎第一実施形態
図１は、この発明に係る独立電源型照明柱の第一実施形態の全体を示す概略正面図（ａ）及び（ａ）のＩ−Ｉ線に沿う拡大断面図、図２は、第一実施形態の独立電源型照明柱の全体を示す概略斜視図である。
【００２３】
第一実施形態の独立電源型照明柱は、地上に立設される中空状の支柱１０と、この支柱１０に装着されるソーラーパネル２０と、このソーラーパネル２０によって集光された光エネルギを電気エネルギとして蓄電する蓄電池３０と、この蓄電池３０に蓄電された電力を定電圧・定電流に制御する制御装置（図示せず）と、蓄電池３０に蓄電された電力によって発光する光源４０とで主に構成されている。
【００２４】
上記中空状支柱１０は、アルミニウム合金製の断面略円形状の中空押出形材にて形成されており、外側面の４箇所すなわち９０度間隔をおいた４箇所に、支柱１０の長手方向に沿設され、かつ、外方に開口する狭隘開口状の凹溝１１が形成されている。この場合、凹溝１１の狭隘開口部１２と側壁１３との間に段部１４が形成されている。また、支柱１０の内側面における凹溝１１間の位置には、断面略円弧状のビスポケット１５が長手通しに形成されている。なお、支柱１０の凹溝１１以外の外表面には、長手方向に互いに平行な凹凸細条１６が形成されている（図１（ｂ）参照）。
【００２５】
このように形成される支柱１０における任意の凹溝１１例えば対向する２つの凹溝１１内に光源４０が配設可能になっている。ここでは、対向する２つの凹溝１１内に光源４０を配設した場合について説明したが、光源４０を１つの凹溝１１内に配設してもよく、また、３つ凹溝１１内に光源４０を配設するようにしてもよい。
【００２６】
上記ソーラーパネル２０は、集光効率の良い曲面に屈曲された透明性の合成樹脂例えばポリカーボネート製板２１と、この透明ポリカーボネート製板２１に積層接着されるシリコン単結晶ソーラーセル２２と、透明ポリカーボネート製板２１の背部に装着されるフレーム２３とを具備しており、フレーム２３の中間部に中空矩形状連結部材２４を介して支柱１０の長さに略等しい長さを有するチャンネル状のエッジカバー２５が連結されている。このエッジカバー２５は、アルミニウム合金製の押出形材にて形成されており、ソーラーパネル２０の上下端外方位置と端部位置にねじ孔（図示せず）が設けられている。
【００２７】
このように形成されるソーラーパネル２０を支柱１０に取り付けるには、エッジカバー２５を支柱１０の凹溝１１内に挿入すると共に、エッジカバー２５に設けられたねじ孔に六角孔付き止めねじ２６を螺合し、六角レンチ等の工具（図示せず）を用いて、止めねじ２６の先端部を凹溝１１の底面１１ａに押し付けることで、エッジカバー２５を凹溝１１の狭隘開口部１２に設けられた段部１４に圧接して、固定することができる（図１（ｂ）参照）。このようにして支柱１０に装着されるソーラーパネル２０を、図１（ｂ）に二点鎖線で示すように、２つの凹溝１１を利用して２個装着してもよい。また、３つの凹溝１１を利用して３個のソーラーパネル２０を装着することも可能である。
【００２８】
上記蓄電池３０は、制御装置（図示せず）と共に内部筐体３１内に収納された状態で、支柱１０の中空部１０ａ内に収容され、図示しない係止手段によって支柱１０内に係止固定されている（図１（ｂ）参照）。
【００２９】
一方、光源４０は、支柱１０の凹溝１１内に適宜間隔をおいて直線状に配列される複数（多数）の発光体例えば発光ダイオード４１（ＬＥＤ）にて形成されている。この場合、各発光ダイオード４１は、発光部４２が凹溝１１内に露出するように、凹溝１１内に配設され、基板４３に設けられたリード線を介して蓄電池３０に接続されている。
【００３０】
このように、支柱１０に長手通しに設けられた凹溝１１内に複数（多数）の発光ダイオード４１（ＬＥＤ）を適宜間隔をおいて直線状に配列して、各発光ダイオード４１を発光させると、支柱１０の側面の上下端間の全域から側方に照射することができる。この照射領域は、光源４０すなわち発光ダイオード４１を正面に見るとライン状（線状）であり、また、側面から見ると、支柱１０の側端（エッジ部）から照射される帯状となる。したがって、発光ダイオード４１からの光を、支柱１０の側面全域から側方に照射するので、照射領域を拡大することができる。
【００３１】
なお、支柱１０の頂部には、例えばアルミニウム合金製のキャップ１７がシール部材（図示せず）を介して固定されている。この場合、キャップ１７に設けられた取付孔を貫通する固定ねじ１８を上記ビスポケット１５に螺合することによって、キャップ１７を支柱１０に固定することができる。なお、キャップ１７と支柱１０の間にシール部材（図示せず）を介してキャップ１７が固定されており、キャップ１７と支柱１０との間から支柱１０の中空部１０ａ内に雨水等が浸入するのを防止するように構成されている。
【００３２】
また、発光ダイオード４１が配設されていない凹溝１１で、ソーラーパネル２０の装着に利用されていない部分には、化粧用のチャンネル状のエッジカバー５０を装着する方がよい。このエッジカバー５０は、アルミニウム合金製の押出形材にて形成されている。エッジカバー５０は、図１（ｂ）に示すように、凹溝１１の狭隘開口部１２の内側に形成された段部１４に係合した状態で凹溝１１内に挿入され、エッジカバー５０に設けられたねじ孔５１に六角孔付き止めねじ５２を螺合して、図示しない六角レンチ等の工具を用いて止めねじ５２の先端部を凹溝１１の底面１１ａに押し付けてエッジカバー５０を段部１４に圧接することで、エッジカバー５０を凹溝１１内に装着することができる。
【００３３】
上記のように構成される独立電源型照明柱は、例えば支柱の長さを２ｍ〜５ｍにして、道路の沿道や街路の照明用に使用することができる。この独立電源型照明柱によれば、昼間は、ソーラーパネル２０によって太陽光（太陽エネルギ）を集光（吸収）して、蓄電池３０に蓄電しおくことができ、また、夜間には、制御装置に組み込まれた制御回路の作動によって蓄電池３０に蓄電された電力を定電圧・定電流に制御して発光ダイオード４１に供給して、各発光ダイオード４１を発光させ、上述したように支柱１０の上下端間の全域から側方に照射することができる。これにより、人の目線に合わせた照明領域を得ることができると共に、高さ方向の照明領域の拡大を図ることができる。したがって、夜間における道路や街路を明るくして自動車の走行の安全を確保することができ、また、防犯上の効果も得られる。
【００３４】
また、支柱１０に設けられた凹溝１１内に複数（多数）の発光ダイオード４１を直線状に配設して照明する方式であるため、最小限の消費電力によって必要量の照明を得ることができる。
【００３５】
また、支柱１０に同形状の４つの凹溝１１が設けられているので、任意の凹溝１１に光源４０すなわち発光ダイオード４１を取り付けることができると共に、ソーラーパネル２０を装着することができる。
【００３６】
◎第二実施形態
図４は、この発明に係る独立電源型照明柱の第二実施形態の要部断面斜視図、図５は、図４のII−II線に沿う断面図（ａ）及び（ａ）の要部拡大断面図（ｂ）である。
【００３７】
第二実施形態は、光源４０からの光を拡散させて照射輝度を高めて、更に照射領域の向上を図れるようにした場合である。すなわち、凹溝１１内に挿入され、固定される照射案内カバー６０に、光源４０すなわち複数（多数）の発光ダイオード４１を適宜間隔をおいて直線状に配設し、更に、発光ダイオード４１から照射される光を外方に案内する透明性の透光板６１例えばガラス板を設けた場合である。
【００３８】
この場合、照射案内カバー６０は、アルミニウム合金製の押出形材にて形成されており、チャンネル状のカバー本体６２と、カバー本体６２の基部６２ａの表面に互いに平行に起立する一対の起立片６３にて形成される開口凹条６４とを具備している。この照射案内カバー６０の開口凹条６４に発光ダイオード４１が配設され、基板４３に設けられたリード線を介して蓄電池３０に接続されている。また、開口凹条６４の開口部にコーキング剤６５を介して透光板すなわちガラス板６１が配設されている。また、カバー本体６２の基部６２ａの長手方向の両端部にねじ孔６６が設けられている。
【００３９】
このように構成される照射案内カバー６０は、凹溝１１の狭隘開口部１２の内方に設けられた段部１４に係合した状態で、凹溝１１内に挿入された後、ねじ孔６６に六角孔付き止めねじ６７を螺合し、図示しない六角レンチ等の工具を用いて止めねじ６７の先端を凹溝１１の底面１１ａに押し付けて基部６２ａを凹溝１１の段部１４に圧接することで、支柱１０に固定される。
【００４０】
上記のように、支柱１０の凹溝１１内に挿入・固定される照射案内カバー６０に、光源４０すなわち直線状に配列される複数（多数）の発光ダイオード４１を配設すると共に、発光ダイオード４１から照射される光を外方に案内するガラス板６１を設けることにより、図６（ａ）に示すように、光源４０（発光ダイオード４１）からの光がガラス板６１によって屈折されると共に、拡散されて外方に照射されるので、照度（輝度）を高めることができる。また、ガラス板６１によって発光ダイオード４１を保護することができるので、第一実施形態の場合に比べて発光ダイオード４１の損傷を抑制することができ、発光ダイオード４１の寿命を増大することができる。
【００４１】
なお、図６（ｂ）に示すように、透光板としてのガラス板６１に、光を拡散すると共に散乱させる例えばダイヤカット状の凹凸表面６１ａを形成することにより、更に発光ダイオード４１から照射される光を拡散させて照射することができる。
【００４２】
なお、第二実施形態において、その他の部分は、第一実施形態と同じであるので、同一部分には同一符号を付して、説明は省略する。
【００４３】
◎第三実施形態
図７は、この発明に係る独立電源型照明柱の第三実施形態の要部断面斜視図、図８は、図７ののIII−III線に沿う断面図（ａ）及び（ａ）の要部拡大断面図（ｂ）である。
【００４４】
第三実施形態は、光源４０からの光を拡散させると共に散乱させて、更に照射領域の向上を図れるようにした場合である。すなわち、支柱１０の凹溝１１内に挿入され固定される反射案内カバー７０に、光源４０すなわち適宜間隔をおいて直線状に配列される複数（多数）の発光ダイオード４１を配設すると共に、発光ダイオード４１から照射される光を反射させて外方に拡散及び散乱させる反射部７１を設け、また、発光ダイオード４１及び反射部７１から照射される光を外方へ案内する透明性の透光板例えばガラス板７２を設けた場合である。
【００４５】
この場合、反射案内カバー７０は、アルミニウム合金製の押出形材にて形成されており、チャンネル状のカバー本体７３の基部７４の表面に断面略円弧状の開口凹条７５が形成され、この開口凹条７５の円弧面に反射部７１が形成されている。この反射部７１には、反射効率が高くなるような加工、例えば鏡面仕上げが施されている。鏡面仕上げ加工の方法としては、例えば化学研磨，アルミ蒸着，アルミニウム箔の貼着あるいはスプレー等で蓄光剤を塗布するなどの方法がある。また、開口凹条７５を形成する一対の起立片７６の対向する面に形成された嵌合溝７７にガラス板７２が嵌合されている。
【００４６】
上記のように構成される反射案内カバー７０を凹溝１１内に取り付けるには、反射案内カバー７０に発光ダイオード４１及びガラス板７２を組み付けた状態で、反射案内カバー７０を凹溝１１の狭隘開口部１２の段部１４に係合させて凹溝１１内に挿入し、そして、反射案内カバー７０に設けられたねじ孔７８に例えば六角孔付き止めねじ７９を螺合し、図示しない六角レンチ等の工具を用いて止めねじ７９の先端部を凹溝１１の底面１１ａに押し付け、反射案内カバー７０を段部１４に圧接することによって、凹溝１１内に固定することができる。
【００４７】
上記のように、支柱１０の凹溝１１内に挿入・固定される反射案内カバー７０に、光源４０すなわち発光ダイオード４１を配設すると共に、発光ダイオード４１から照射される光を反射させて外方に拡散及び散乱させる反射部７１を設けることにより、発光ダイオード４１からの直射光ＤＢと、反射案内カバー７０による反射光ＲＢの双方を、側方に照射することができるので、少ない消費電力によって照射領域を向上させることができる。また、図９（ａ）に示すように、発光ダイオード４１及び反射部７１から照射される光ＤＢ，ＲＢをガラス板７２を介して外方へ拡散（屈折）させることができるので、更に照射輝度を高めることができると共に、照射領域を拡大させることができる。
【００４８】
なお、図９（ｂ）に示すように、透光板としてのガラス板７２に、光を拡散すると共に散乱させる例えばダイヤカット状の凹凸表面７２ａを形成することにより、更に発光ダイオード４１から照射される光を拡散させて照射することができる。
【００４９】
なお、第三実施形態において、その他の部分は、第一実施形態と同じであるので、同一部分には同一符号を付して、説明は省略する。
【００５０】
◎第四実施形態
図１０は、この発明に係る独立電源型照明柱の第四実施形態を示す全体概略斜視図である。
【００５１】
第四実施形態の独立電源型照明柱は、光源４０Ａを、第一実施形態と同様の形状を有する中空状支柱１０Ａの中間部に設けた下向き傾斜面８１と上向き傾斜面８２を有する拡開空間部８０における両傾斜面８１，８２に配設した場合である。
【００５２】
第四実施形態において、支柱１０Ａは、地上に立設され、かつ、蓄電池及び制御装置等（図示せず）が収容可能な下部支柱体１００と、ソーラーパネル２０が装着可能な上部支柱体２００と、下部支柱体１００と上部支柱体２００とを連結する連結部材９０とで構成されている。
【００５３】
この場合、下部支柱体１００の上端部は、一側端から他側端に向かって下り勾配に切断されており、この切断面に、光源４０すなわち複数（多数）の発光ダイオード４１を散点状に配列した上向き傾斜板８４が、下部支柱体１００に設けられたビスポケット（図示せず）に固定ねじ８５を螺合することによって固定されている。また、上部支柱体２００の下端部は、一側端から他側端に向かって上り勾配に切断されており、この切断面に、光源４０すなわち複数（多数）の発光ダイオード４１を散点状に配列した下向き傾斜板８３が、上部支柱体２００に設けられたビスポケット（図示せず）に固定ねじ８５を螺合することによって固定されている。なお、この場合、上向き傾斜板８４及び下向き傾斜板８３は、アルミニウム合金製の略楕円形状の板部材にて形成されており、図示しないシール部材を介して下部支柱体１００及び上部支柱体２００に気水密に固定されている。
【００５４】
上記下部支柱体１００と上部支柱体２００は、第一実施形態の支柱１０と同様に４箇所に凹溝１１が設けられており、これら凹溝１１の対向する２箇所に固定される２本の連結部材９０によって下向き傾斜面８１と上向き傾斜面８２を有する拡開空間部８０を設けた状態で連結されている。
【００５５】
この場合、連結部材９０は、アルミニウム合金製の押出形材によってチャンネル状に形成されており、両端部にねじ孔９１が設けられている。この連結部材９０は、下部支柱体１００と上部支柱体２００に設けられた凹溝１１内に摺動可能に挿入され、六角孔付き止めねじ９２をねじ孔９１に螺合し、六角レンチ等の工具（図示せず）を用いて、止めねじ９２の先端部を凹溝１１の底面１１ａに押し付けることで、連結部材９０が凹溝１１の狭隘開口部１２に設けられた段部１４に圧接されることによって、下部支柱体１００と上部支柱体２００とを連結・固定している（図１１参照）。
【００５６】
上記のように、下部支柱体１００と上部支柱体２００とを２本のチャンネル状の連結部材９０を介して連結することにより、下部支柱体１００と上部支柱体２００とを強固に連結することができる。また、上部支柱体２００に装着されるソーラーパネル２０と蓄電池（図示せず）とを接続するリード線や、上部支柱体２００の下向き傾斜面８１（具体的には、下向き傾斜板８３）に配設された発光ダイオード４１のリード線を、連結部材９０の凹部空間を利用して下部支柱体１００側に案内し、下部支柱体１００の中空部内に収容された蓄電池、制御装置に接続することができる。
【００５７】
なお、第四実施形態において、その他の部分は、第一実施形態と同じであるので、同一部分には同一符号を付して、説明は省略する。
【００５８】
上記のように構成される第四実施形態の独立電源型照明柱によれば、光源４０すなわち複数（多数）の発光ダイオード４１を、支柱１０Ａの中間部に設けた下向き傾斜面８１と上向き傾斜面８２を有する拡開空間部８０における両傾斜面８１，８２に配設することにより、両傾斜面８１，８２に配設された発光ダイオード４１からの光を支柱１０の側方に照射することができるので、人の目線に合わせた照明領域を得ることができると共に、照明領域の拡大を図ることができる。したがって、少ない消費電力によって有効な照明効果を得ることができる。
【００５９】
◎第五実施形態
図１２は、この発明に係る独立電源型照明柱の第五実施形態の一例を示す全体概略斜視図、図１３は、第五実施形態の別の例を示す全体概略斜視図である。
【００６０】
第五実施形態は、第四実施形態と同様に構成される支柱１０Ａに設けられた下向き傾斜面８１と上向き傾斜面８２を有する拡開空間部８０における一方の傾斜面すなわち上向き傾斜面８２又は下向き傾斜面８１に光源４０である複数（多数）の発光ダイオード４１を散点状に配列し、他方の傾斜面すなわち下向き傾斜面８１又は上向き傾斜面８２に発光ダイオード４１からの光を反射する反射板８６を配設した場合である。
【００６１】
この場合、光源４０すなわち複数（多数）の発光ダイオード４１を散点状に配列した上向き傾斜板８４と下向き傾斜板８３は、第四実施形態と同様に、下部支柱体１００と上部支柱体２００に設けられたビスポケットに固定ねじ８５を螺合することによって固定されている。
【００６２】
また、反射板８６は、上向き傾斜板８４及び下向き傾斜板８３と同様に、アルミニウム合金製の略楕円形状の板部材にて形成されており、その表面に反射効率が高くなるような加工例えば鏡面仕上げが施されている。鏡面仕上げ加工には、上述したように、例えば化学研磨，アルミ蒸着，アルミニウム箔の貼着あるいはスプレー等で蓄光剤を塗布するなどの方法がある。なお、反射板８６をステンレス製の板部材にて形成してもよい。反射板８６も、上向き傾斜板８４と下向き傾斜板８３と同様に、下部支柱体１００と上部支柱体２００に設けられたビスポケットに固定ねじ８５を螺合することによって固定されている。なお、反射板８６と上部支柱体２００との間、及び下部支柱体１００との間には、シール部材（図示せず）が介在されて、気水密性の維持が図られている。
【００６３】
なお、第五実施形態において、その他の部分は、第一及び第四実施形態と同じであるので、同一部分には同一符号を付して、説明は省略する。
【００６４】
上記のように構成される、第五実施形態の独立電源型照明柱によれば、光源４０すなわち散点状に配列された複数（多数）の発光ダイオード４１を、中空状支柱１０Ａの中間部に設けた下向き傾斜面８１と上向き傾斜面８２を有する拡開空間部８０における一方の傾斜面（上向き傾斜面８２又は下向き傾斜面８１）に配設し、他方の傾斜面（下向き傾斜面８１又は上向き傾斜面８２）に発光ダイオード４１からの光を反射する反射板８６を配設することにより、一方の傾斜面（上向き傾斜面８２又は下向き傾斜面８１）に配設された発光ダイオード４１の直射光ＤＢと、他方の傾斜面（下向き傾斜面８１又は上向き傾斜面８２）に配設された反射板８６が反射する反射光ＲＢを、支柱１０Ａの側面から側方に照射することができる。これにより、人の目線に合わせた照明領域を得ることができると共に、照明領域の拡大を図ることができる。したがって、少ない消費電力によって有効な照明効果を得ることができる。
【００６５】
◎その他の実施形態
１）上記実施形態では、支柱１０，１０Ａの４箇所に同形状の凹溝１１を設けた場合について説明したが、凹溝１１は必ずしも同形状である必要はなく、例えばソーラーパネル２０の装着用と、発光ダイオード４１の配設用に分けて大きさを変えてもよい。また、凹溝１１の数は必ずしも４箇所である必要はなく、少なくとも発光ダイオード４１の配設用の１箇所設ければよい。なお、この場合は、ソーラーパネル２０は別の装着手段を用いて支柱１０，１０Ａに装着すればよい。
【００６６】
２）上記実施形態では、支柱１０，１０Ａ（下部支柱体１００、上部支柱体２００）が、断面略略円形の中空押出形材にて形成される場合について説明したが、断面円形以外に、例えば、図１４に示すように、断面略四角形の中空押出形材にて支柱１０Ｂを形成するか、図１５に示すように、断面略菱形の中空押出形材にて支柱１０Ｃを形成するか、あるいは、図１６に示すように、断面略三角形の中空押出形材にて支柱１０Ｄを形成することも可能である。
【００６７】
図１４ないし図１６では、支柱１０Ｂ，１０Ｃ，１０Ｄに設けられた凹溝１１内に、第一実施形態と同様に、複数（多数）の発光ダイオード４１を直線状に配列した場合について説明したが、第二実施形態と同様に、照射案内カバー６０を装着してもよく、第三実施形態と同様に、樋状の反射案内カバー７０を装着してもよい。また、第四及び第五実施形態においても、図１４，図１５又は図１６の断面形状の支柱すなわち下部支柱体、上部支柱体を使用することも可能である。
【００６８】
３）上記実施形態では、支柱１０，１０Ａ〜１０Ｄが１本で形成される場合について説明したが、支柱を分割式にして連結部材にて連結するようにしてもよい。例えば、図１７に示すように、支柱１０Ｅを、支柱１０と同形状の凹溝１１を有する短尺例えば１ｍ２０ｃｍの中空状の下部支柱体３０１及び中空状の上部支柱体３０２とで構成し、下部支柱体３０１と上部支柱体３０２とを連結部材４００によって連結するようにしてもよい。この場合、連結部材４００は、エッジカバー５０と同様に、アルミニウム合金製の押出形材にて形成されるチャンネル状部材にて形成されており、その両端部にねじ孔４０１が設けられている。
【００６９】
下部支柱体３０１と上部支柱体３０２とを連結するには、連結部材４００を図１８に示すように、凹溝１１の狭隘開口部１２の内側に形成された段部１４に係合した状態で凹溝１１内に予め摺動自在に挿入し、連結部材４００に設けられたねじ孔４０１に六角孔付き止めねじ４０２を螺合して、図示しない六角レンチ等の工具を用いて止めねじ４０２の先端部を凹溝１１の底面１１ａに押し付けて連結部材４００を段部１４に圧接することで、連結部材４００と一方の支柱体例えば下部支柱体３０１とを固定した後、同様にして他方の支柱例えば上部支柱体３０２とを固定して、下部支柱体３０１と上部支柱体３０２とを連結する。なお、凹溝１１にソーラーパネル２０のエッジカバー２５が装着される場合は、エッジカバー２５を下方に延在し、この延在部に設けられたねじ孔４０１に同様に止めねじ２６を螺合することによって、下部支柱体３０１と上部支柱体３０２とを連結することができる。
【００７０】
上記説明では、支柱１０Ｅが、ソーラーパネル２０を装着する上部支柱体３０２と、地上に立設される下部支柱体３０１とで構成される場合について説明したが、支柱１０Ｅを構成する支柱体は２本である必要はなく、３本以上としてもよく、例えば上部支柱体３０２の上方に同様に連結部材４００を介して別の支柱体を連結してもよい。
【００７１】
また、上記説明では、支柱１０Ｅが、断面略円形の中空押出形材にて形成される場合について説明したが、断面略円形以外の断面形状例えば断面略四角形、断面略菱形、断面略三角形等であっても同様に、分割式にすることができることは勿論である。
【００７２】
上記のように、支柱１０Ｅを複数の短尺の支柱体３０１，３０２にて形成することにより、梱包を容易にすることができると共に、運搬を容易にすることができる。また、支柱体３０１，３０２を、支柱体３０１，３０２に設けられた狭隘開口状の凹溝１１内に挿入され固定される連結部材４００をもって連結するので、支柱の組立を容易にすることができる。
【００７３】
なお、図１７及び図１８に示す実施形態において、その他の部分は第一実施形態と同じであるので、同一部分には同一符号を付して、説明は省略する。
【００７４】
【発明の効果】
以上に説明したように、この発明は上記のように構成されているので、以下のような優れた効果が得られる。
【００７５】
１）請求項１記載の発明によれば、光源を、中空状支柱の長手方向に沿設され、かつ、外方に開口する１又は複数の凹溝内に配設することにより、光源からの光を支柱の側面から側方に照射することができるので、人の目線に合わせた照明領域を得ることができると共に、照明領域の拡大を図ることができる。したがって、少ない消費電力によって有効な照明効果を得ることができる。
【００７６】
２）請求項２記載の発明によれば、光源を、中空状支柱の凹溝内に直線状に配列される複数の発光体にて形成することにより、支柱の側面の上下端間の全域から側方に照射することができるので、上記１）に加えて更に照明領域の向上を図ることができる。
【００７７】
３）請求項３記載の発明によれば、光源からの光を透光板によって屈折し、拡散させて外方に照射するので、上記１）、２）に加えて更に照度（輝度）を高めることができる。この場合、透光板に光拡散用凹凸表面を形成することにより、更に光を拡散させて照射することができる（請求項６）。
【００７８】
４）請求項４記載の発明によれば、光源からの直射光と、反射板による反射光の双方を、外方に照射することができるので、上記１）、２）に加えて更に消費電力を少なくすることができると共に、照射領域の向上が図れる。この場合、反射案内カバーに、光源及び反射部から照射される光を外方に案内する透光板を設けることにより、光源から照射される直射光と反射部から照射される反射光の双方を、透光板によって屈折させて拡散させることができるので、更に照度（輝度）を高めることができる（請求項５）。また、透光板に光拡散用凹凸表面を形成することにより、更に光を拡散させて照射することができる（請求項６）。
【００７９】
５）請求項７記載の発明によれば、光源を、中空状支柱の中間部に設けた下向き傾斜面と上向き傾斜面を有する拡開空間部における両傾斜面に配設することにより、両傾斜面に配設された光源からの光を支柱の側方に照射することができるので、人の目線に合わせた照明領域を得ることができると共に、照明領域の拡大を図ることができる。したがって、少ない消費電力によって有効な照明効果を得ることができる。
【００８０】
６）請求項８記載の発明によれば、光源を、中空状支柱の中間部に設けた下向き傾斜面と上向き傾斜面を有する拡開空間部における一方の傾斜面に配設し、他方の傾斜面に光源からの光を反射する反射板を配設することにより、一方の傾斜面に配設された光源からの直射光と、他方の傾斜面に配設された反射板が反射する反射光を、支柱の側面から側方に照射することができるので、人の目線に合わせた照明領域を得ることができると共に、照明領域の拡大を図ることができる。したがって、更に少ない消費電力によって有効な照明効果を得ることができる。
【００８１】
７）請求項９記載の発明によれば、光源を、散点状に配列される複数の発光体にて形成するので、上記５）、６）に加えて更に光量の増大が図れると共に、照射領域の拡大が図れる。
【００８２】
８）請求項１０記載の発明によれば、中空状支柱が分割でき、コンパクトにすることができるので、上記１）〜７）に加えて更に梱包を容易にすることができると共に、運搬を容易にすることができる。また、現場において、連結部材によって中空状支柱の組立を容易にすることができる。
【図面の簡単な説明】
【図１】この発明に係る独立電源型照明柱の第一実施形態の全体を示す正面図（ａ）及び（ａ）のＩ−Ｉ線に沿う拡大断面図（ｂ）である。
【図２】第一実施形態の独立電源型照明柱の全体を示す概略斜視図である。
【図３】第一実施形態における支柱と発光ダイオードを示す斜視図である。
【図４】この発明に係る独立電源型照明柱の第二実施形態の要部断面斜視図である。
【図５】図４ののII−II線に沿う断面図（ａ）及び（ａ）の要部拡大断面図（ｂ）である。
【図６】第二実施形態における光源と透光板の光の照射状態を示す拡大断面図（ａ）及び光源と別の透光板の光の照射状態を示す拡大断面図（ｂ）である。
【図７】この発明に係る独立電源型照明柱の第三実施形態の要部断面斜視図である。
【図８】図７のIII−III線に沿う断面図（ａ）及び（ａ）の要部拡大断面図（ｂ）である。
【図９】第三実施形態における光源、反射板及び透光板の光の照射状態を示す拡大断面図（ａ）及び光源、反射板と別の透光板の光の照射状態を示す拡大断面図（ｂ）である。
【図１０】この発明に係る独立電源型照明柱の第四実施形態の全体を示す概略斜視図である。
【図１１】第四実施形態における下部支柱体と上部支柱体の連結部を示す側面図（ａ）及び（ａ）のIV−IV線に沿う断面図（ｂ）である。
【図１２】この発明に係る独立電源型照明柱の第五実施形態の一例の全体を示す概略斜視図である。
【図１３】第五実施形態の別の例の全体を示す概略斜視図である。
【図１４】この発明における支柱の別の断面形状を示す断面図である。
【図１５】この発明における支柱の更に別の断面形状を示す断面図である。
【図１６】この発明における支柱の更に別の断面形状を示す断面図である。
【図１７】この発明における支柱を分割式にした場合の一例を示す概略正面図（ａ）及び概略背面図（ｂ）である。
【図１８】図１７のＶ−Ｖ線に沿う拡大断面図である。
【符号の説明】
１０，１０Ａ，１０Ｂ，１０Ｃ，１０Ｄ，１０Ｅ  支柱
１０ａ  中空部
１１  凹溝
２０  ソーラーパネル
３０  蓄電池
４０，４０Ａ  光源
４１  発光ダイオード（発光体）
６０  照射案内カバー
６１  ガラス板（透光板）
６１ａ  光拡散用凹凸表面
７０  反射案内カバー
７１  反射部
７２  ガラス板（透光板）
７２ａ  光拡散用凹凸表面
８０  拡開空間部
８１  下向き傾斜面
８２  上向き傾斜面
８３  下向き傾斜板
８４  上向き傾斜板
８６  反射板
９０  連結部材
１００，３０１  下部支柱体
２００，３０２  上部支柱体
４００  連結部材
【図１】
2004207109.tif 000003
【図２】
2004207109.tif 000004
【図３】
2004207109.tif 000005
【図４】
2004207109.tif 000006
【図５】
2004207109.tif 000007
【図６】
2004207109.tif 000008
【図７】
2004207109.tif 000009
【図８】
2004207109.tif 000010
【図９】
2004207109.tif 000011
【図１０】
2004207109.tif 000012
【図１１】
2004207109.tif 000013
【図１２】
2004207109.tif 000014
【図１３】
2004207109.tif 000015
【図１４】
2004207109.tif 000016
【図１５】
2004207109.tif 000017
【図１６】
2004207109.tif 000018
【図１７】
2004207109.tif 000019
【図１８】
2004207109.tif 000020